(57)【要約】【課題】薄型の電池ケース及び当該電池ケースを備える釣り用リールを提供する。【解決手段】Ｏリング１６５Ｃの位置を、ケース本体１６５Ａの側部１６５ＡＢの高さ方向においてボタン型電池２００と重複する位置に配置する構成とすることにより、Ｏリング１６５Ｃとボタン型電池２００とが重複しない場合よりも、電池ケース１６５全体の厚さを抑えることができる。また、蓋１６５Ｂの側部１６５ＢＢが、ケース本体１６５Ａの側部１６５ＡＢを外側から覆う構造により、例えば、Ｏリング１６５Ｃが劣化して側部１６５ＢＢと側部１６５ＡＢとの間に液体が浸入しても、当該液体は、側部１６５ＢＢと側部１６５ＡＢとの間を上端まで到達しないと、ケース本体１６５Ａの収容空間までは到達しないので、液体の収容空間への浸入がしづらい。【選択図】図５
2019062790.tif 000002
【特許請求の範囲】
【請求項１】
底部と、前記底部を囲む第１側部と、を備え、前記底部と前記第１側部とにより電池を収容する収容空間を形成しているケース本体と、
前記収容空間を覆う前記ケース本体の蓋であって、前記第１側部と対向する第２側部を備える蓋と、
前記収容空間に収容される電池と前記第１側部の高さ方向において重複する位置で、前記第１側部と前記第２側部とにより挟まれることで前記収容空間への液体の浸入を防ぐシール部材と、
を備える釣り用リールの電池ケース。
【請求項２】
前記第１側部及び前記第２側部はいずれも筒形状であり、
前記第２側部が前記第１側部よりも外側に位置する、
請求項１に記載の釣り用リールの電池ケース。
【請求項３】
前記電池の電極と接触する電池用端子の一部が前記ケース本体に埋め込まれている、
請求項１または２に記載の釣り用リールの電池ケース。
【請求項４】
請求項１から３のいずれか１項に記載の釣り用リールの電池ケースを備える、
釣り用リール。
【発明の詳細な説明】
【技術分野】
【０００１】
本発明は釣り用リールの電池ケース及び釣り用リールに関する。
【背景技術】
【０００２】
釣り用リールには、電池で動作する電気部品を搭載したものがある。このような電気部品としては、スプールの回転を検出するためのセンサ基板、仕掛けの水深を表示する表示装置、センサ基板の検出結果に基づいて、表示装置を制御する制御基板などが挙げられる。このような電気部品を搭載した釣り用リールは、電池を収容する電池ケースを備える。
【０００３】
例えば、特許文献１には、電池を収容する収容空間を形成しているケース本体（特許文献１では、電池収納部２５）と、前記収容空間を覆う前記ケース本体の蓋（特許文献１では、蓋部材）と、前記収容空間への液体の浸入を防ぐシール部材（特許文献１では、パッキン５４）と、を備える電池ケースが開示されている。
【先行技術文献】
【特許文献】
【０００４】
【特許文献１】特開２００７−１９５４３３号公報
【発明の概要】
【発明が解決しようとする課題】
【０００５】
特許文献１に記載の電池ケースでは、例えばパッキン５４の位置が電池よりも下方に位置しているので、電池ケースが厚いという不都合がある。
【０００６】
本発明の目的は、上記の事情に鑑み、薄型の電池ケース及び当該電池ケースを備える釣り用リールを提供することにある。
【課題を解決するための手段】
【０００７】
本発明の第１の観点に係る釣り用リールの電池ケース（例えば、電池ケース１６５）は、
底部（例えば、底部１６５ＡＡ）と、前記底部を囲む第１側部（例えば、側部１６５ＡＢ）と、を備え、前記底部と前記第１側部とにより電池（例えば、ボタン型電池２００）を収容する収容空間（例えば、収容空間Ｓ）を形成しているケース本体（例えば、ケース本体１６５Ａ）と、
前記収容空間を覆う前記ケース本体の蓋であって、前記第１側部と対向する第２側部（例えば、側部１６５ＢＢ）を備える蓋（例えば、蓋１６５Ｂ）と、
前記収容空間に収容される電池と前記第１側部の高さ方向において重複する位置（例えば、図５参照）で、前記第１側部と前記第２側部とにより挟まれることで前記収容空間への液体の浸入を防ぐシール部材（例えば、Ｏリング１６５Ｃ）と、
を備える。
【０００８】
シール部材を、第１側部の高さ方向において電池と重複する位置で、第１側部と第２側部とにより挟むことで、電池ケース全体の厚さを抑えることができる。これにより、薄型の電池ケースが得られる。特に、シール部材を、第１側部の高さ方向において電池と重複しない位置で、第１側部と第２側部とにより挟むよりも、電池ケースを薄くできる。
【０００９】
また、前記第１側部及び前記第２側部はいずれも筒形状であり、
前記第２側部が前記第１側部よりも外側に位置する、構成（例えば、図５参照）としてもよい。
【００１０】
この構成により、シール部材が劣化して第１側部と第２側部との間に液体が浸入しても、当該液体は、第１側部と第２側部との間を進まないと、前記の収容空間までは到達しないので、液体の前記の収容空間への浸入がしづらくなっている。
【００１１】
また、前記電池の電極と接触する電池用端子（例えば、正極端子１６５Ｄ及び負極端子１６５Ｅ）の一部が前記ケース本体に埋め込まれている、構成としてもよい。
【００１２】
この構成により、電池用端子の基板（電池用端子を搭載する基板）を設ける必要がなくなり、当該基板分だけ、電池ケースの厚さを抑えることができ、薄型化できる。
【００１３】
本発明の第２の観点に係る釣り用リール（例えば、両軸受リール１００）は、上述のいずれか１つの釣り用リールの電池ケースを備える。
【００１４】
この構成により、薄型の電池ケースを有する釣り用リールを得ることができ、例えば、釣り用リールの前記電池ケースの収容部を小型化できる。
【発明の効果】
【００１５】
本発明によれば、薄型の電池ケース及び当該電池ケースを備える釣り用リールを提供することができる。
【図面の簡単な説明】
【００１６】
【図１】本発明の実施の形態に係る両軸受リールの斜視図
【図２】本発明の実施の形態に係る両軸受リールの第２本体部の分解斜視図
【図３】本発明の実施の形態に係る両軸受リールにおいて電池ケースの蓋を取り外したときの斜視図
【図４】本発明の実施の形態に係る両軸受リールからカバーが取り外されたときの斜視図
【図５】本発明の実施の形態に係る両軸受リールの第２本体部及びその周辺の断面図
【図６】本発明の実施の形態に係る両軸受リールが備える水深カウンタの電気的構成を示すブロック図
【発明を実施するための形態】
【００１７】
以下、本発明を、水深カウンタを有する両軸受リールに適用した実施の形態について、図面を参照しながら説明する。
【００１８】
（両軸受リールの構成）
まず、本実施の形態に係る両軸受リール１００の構成を図１〜図５を参照しながら説明する。
【００１９】
両軸受リール１００は、図１などに示すように、リールフット１１０と、第１本体部１２０と、ハンドル１３０と、スプール１４０と、クラッチ操作部１５０と、第２本体部１６０と、連結部１７０と、を備える。両軸受リール１００は、リールフット１１０により、釣竿に取り付けられる。両軸受リール１００は、スプール１４０に均一に糸を巻き回すためのレベルワインド機構（図示せず）なども備える。
【００２０】
第１本体部１２０は、スプール１４０の一端を回転可能に支持している。また、第１本体部１２０には、ハンドル１３０が取り付けられ、第１本体部１２０は、ハンドル１３０の回転をスプール１４０に伝達してスプール１４０を回転させる回転伝達機構（図示せず）を有する。この回転伝達機構は、例えば、複数のギアを含んで構成されている。第１本体部１２０は、その他、クラッチ機構、メカニカルブレーキ、ドラグ機構等も備える。前記クラッチ機構は、オンのときに、ハンドル１３０の回転をスプール１４０に伝達する一方、オフのときは、当該回転をスプール１４０に伝達しない。クラッチ機構のオン／オフは、クラッチ操作部１５０により切り替わる。
【００２１】
第２本体部１６０は、筐体部材１６１と、カバー１６２と、ボルト１６３と、電池ケース１６５（図２など）と、センサ基板１６６（図５）と、ボールベアリング１６７（図５）と、目印１６８（図２など）と、センサ基板収容部１６９（図２など）と、を備える。さらに、第２本体部１６０は、スプール１４０の回転を受けて、レベルワインド機構のウォームシャフトを回転させるための複数のギアも備える。当該複数のギアは、第１本体部１２０内に配置してもよい。
【００２２】
図５に示すように、筐体部材１６１の内部には、ボールベアリング１６７が配置されており、第２本体部１６０は、当該ボールベアリング１６７によりスプール１４０の他端（具体的には、スプール１４０が備えているスプール軸（回転シャフト）１４１の他端１４１Ａ）を回転可能に支持している。カバー１６２は、ドーム形状を有し、ボルト１６３により、筐体部材１６１に締め付けられて固定されており、筐体部材１６１の内部を覆っている。カバー１６２は、ボルト１６３を外すことで、筐体部材１６１から取り外し可能である。
【００２３】
電池ケース１６５は、ボタン型電池２００（図５）を収容する。電池ケース１６５の詳細な構造等については、目印１６８とともに後述する。センサ基板１６６は、磁気センサ１６６Ａ（図５）を搭載している。スプール１４０には、複数の磁石１４２（図５）が設けられており、センサ基板１６６は、磁気センサ１６６Ａ（例えば、複数のホール素子により構成されている）により複数の磁石１４２のうちのいずれかの磁気を検出し（これにより、スプール１４０の回転が検出される）、検出した磁気に基づいて、スプール１４０の回転角及び回転方向を特定可能な電気信号を出力する。センサ基板収容部１６９は、センサ基板１６６を収容している。センサ基板収容部１６９は、電池ケース１６５のケース本体１６５Ａと一体的に形成されている。電池ケース１６５とセンサ基板１６６とセンサ基板収容部１６９とは、筐体部材１６１とカバー１６２とにより形成される内部空間に収容されている（図５など）。筐体部材１６１とカバー１６２とは、両軸受リール１００（特に第２本体部１６０）の筐体を構成している。
【００２４】
連結部１７０は、スプール１４０を間に置いて離れている第１本体部１２０と第２本体部１６０とを連結している。連結部１７０は、表示装置１７１と、電源／リセットボタン１７２と、制御基板１７３（図６。図１〜５では不図示。）と、を備える。表示装置１７１は、液晶表示装置等であり、釣りの仕掛けの現在の水深（繰り出した釣り糸の長さ）を表示する。電源／リセットボタン１７２は、仕掛けの水深の表示を開始したり（電源オン）、終了したり（電源オフ）、リセットしたりするために使用される。制御基板１７３は、連結部１７０内部に搭載されている。制御基板１７３は、マイクロコンピュータ等のプロセッサを備え、当該プロセッサにより、表示装置１７１の制御等を行う。
【００２５】
表示装置１７１と、電源／リセットボタン１７２と、制御基板１７３とは、第２本体部１６０が備えるセンサ基板１６６とともに、水深カウンタ（以下、水深カウンタＣという。）を構成している。水深カウンタＣの電気的構成を図６に示す。水深カウンタＣは、電池ケース１６５に収容されたボタン型電池２００により動作する。制御基板１７３（プロセッサ）は、センサ基板１６６からの前記電気信号に基づいて、スプール１４０から繰り出された又はスプール１４０に巻かれた釣り糸の長さを特定し、特定した長さに基づいて表示装置１７１に表示している仕掛けの現在の水深を増減させる。電源／リセットボタン１７２は、押し下げ操作がなされたときに、押し下げ操作がなされたことを示す操作信号を制御基板１７３に供給する。制御基板１７３は、操作信号に基づいて、起動（電源オン）したり、シャットダウン（電源オフ）したり、表示装置１７１に表示している仕掛けの現在の水深をリセット（水深の表示のリセット）したりする（例えば、短押し時は、電源オン又はオフが行われ、長押し時は、水深のリセットが行われる）。
【００２６】
図１〜図５の参照に戻り、電池ケース１６５の詳細な構造を説明する。なお、以下の説明では、カバー１６２の方向（両軸受リール１００を取り付けた釣竿のユーザから見て左側）を「上」、スプール１４０の方向（前記ユーザから見て右側）を「下」とする。
【００２７】
図２等に示すように、電池ケース１６５は、ケース本体１６５Ａと、蓋１６５Ｂと、Ｏリング１６５Ｃ（図３では省略）と、正極端子１６５Ｄ（図５。他の図では省略）と、負極端子１６５Ｅ（図５）と、を備える。電池ケース１６５は、カバー１６２内に配置され、カバー１６２を取り外した場合、周囲よりも突き出ている。
【００２８】
ケース本体１６５Ａは、円形状の底部１６５ＡＡと、当該底部から上方に張り出し、底部１６５ＡＡを囲む円筒状の側部１６５ＡＢと、側部１６５ＡＢから上方に突出し、バヨネット溝ＢＭを形成している３つの溝形成部１６５ＡＣと、を備える。底部１６５ＡＡと側部１６５ＡＢとは、ボタン型電池２００を収容するための収容空間Ｓを形成している。３つのバヨネット溝ＢＭそれぞれには後述の３つのバヨネット突起１６５ＢＤ（図３）が１つずつ入り込む。バヨネット溝ＢＭの下側の面は、側部１６５ＡＢの上面と面一に形成されている。さらに、溝形成部１６５ＡＣそれぞれの上面は、バヨネット溝ＢＭにバヨネット突起１６５ＢＤが入り込む側の面である第１上面ＴＰ１と、バヨネット溝ＢＭにバヨネット突起１６５ＢＤが入り込む方と反対側の面であって、第１上面ＴＰ１から下って側部１６５ＡＢの上面に繋がる第２上面ＴＰ２とを備える。
【００２９】
ケース本体１６５Ａは、合成樹脂から構成されており、正極端子１６５Ｄの一部及び負極端子１６５Ｅの一部が埋め込まれ、正極端子１６５Ｄ及び負極端子１６５Ｅと一体的に形成されている。ケース本体１６５Ａは、例えば、正極端子１６５Ｄ及び負極端子１６５Ｅをインサートするインサート成形により形成されている。なお、短絡などを防止するため、正極端子１６５Ｄ及び負極端子１６５Ｅそれぞれについて、不要な部分を絶縁体で被覆するようにするとよい。
【００３０】
蓋１６５Ｂは、バヨネット式の蓋であり、回転することで、ケース本体１６５Ａに対して取り付け及び取り外し可能となっている。蓋１６５Ｂは、覆い部１６５ＢＡと、側部１６５ＢＢと、３つの突出部１６５ＢＣと、３つのバヨネット突起１６５ＢＤと、を備える。
【００３１】
覆い部１６５ＢＡは、円盤形状を有し、ケース本体１６５Ａの収容空間Ｓを上方から覆う。側部１６５ＢＢは、覆い部１６５ＢＡから下方に張り出し、当該覆い部１６５ＢＡを囲む円筒形状を有し、ケース本体１６５Ａの側部１６５ＡＢと対向しかつ外側から覆う。覆い部１６５ＢＡと側部１６５ＢＢとは、蓋本体を構成し、当該蓋本体は、全体として、円形のカップ形状を有し、ケース本体１６５Ａに被さる。
【００３２】
３つの突出部１６５ＢＣそれぞれは、側部１６５ＢＢの外周面から外側（蓋１６５Ｂの回転軸（図２の蓋１６５Ｂの中央を貫く二点鎖線）に直交する方向。上下方向に直交する横方向、蓋１６５Ｂの径方向とも言える。）に突出している。３つの突出部１６５ＢＣは、側部１６５ＢＢの外周面に１２０度ごとに等間隔で配置されている。突出部１６５ＢＣは、蓋１６５Ｂを取り付ける又は取り外すために回転させるときにユーザの指が引っかかる形状に形成されている。突出部１６５ＢＣは、ユーザの指になじむよう山形形状を有する。
【００３３】
３つのバヨネット突起１６５ＢＤは、側部１６５ＢＢの内周面から内側に突出している。バヨネット突起１６５ＢＤは、ケース本体１６５Ａのバヨネット溝ＢＭに入り込む。これにより、両者が係合し、蓋１６５Ｂがケース本体１６５Ａに取り付けられる。
【００３４】
Ｏリング１６５Ｃは、図５に示すように、ケース本体１６５Ａの側部１６５ＡＢと蓋１６５Ｂの側部１６５ＢＢとにより挟まれている。Ｏリング１６５Ｃは、ケース本体１６５Ａの側部１６５ＡＢの高さ方向（上下方向）において、収容空間Ｓに収容されたボタン型電池２００と重複する位置に配置されている。具体的には、収容空間Ｓに収容されたボタン型電池２００の厚みＨの範囲内にＯリング１６５Ｃが配置されている（図５）。Ｏリング１６５Ｃは、水（海水を含む）などの液体がケース本体１６５Ａ内に浸入することを防止するシール部材である。なお、ケース本体１６５Ａの側部１６５ＡＢの高さ方向は、蓋１６５Ｂの回転軸方向、側部１６５ＡＢの中心軸方向、側部１６５ＢＢの高さ方向、ケース本体１６５Ａ（またはボタン型電池２００）の厚み方向などでもある。
【００３５】
正極端子１６５Ｄは、ボタン型電池２００の正極に接触する。負極端子１６５Ｅは、ボタン型電池２００の負極に接触する。正極端子１６５Ｄ及び負極端子１６５Ｅは、一方がセンサ基板１６６を介して制御基板１７３に、他方が制御基板１７３に直接、図示しない配線により接続されている。これにより、センサ基板１６６への給電が制御基板１７３により制御される。
【００３６】
目印１６８は、三角形であり、ケース本体１６５Ａに取り付けられた蓋１６５Ｂの周囲の部材に印刷等により形成されている。目印１６８は、蓋１６５Ｂをケース本体１６５Ａに取り付けたときに、３つの突出部１６５ＢＣのうちの１つが目印１６８の位置に来る位置に配置されている。
【００３７】
（電池ケースの蓋の取り付け、取り外し）
次に、ユーザが、蓋１６５Ｂをケース本体１６５Ａに取り付けるとき及び取り外すときの動作について説明する。
【００３８】
蓋１６５Ｂをケース本体１６５Ａに取り付ける場合、ユーザは、まず、蓋１６５Ｂを軽く握ってケース本体１６５Ａに被せる。次に、ユーザは、上方から見た場合の、向かって右側から突出部１６５ＢＣに指を引っ掛け（例えば、３つの突出部１６５ＢＣのうちの１つに親指を引っ掛け、他の１つに人差し指を引っ掛け、最後の１つに中指を引っ掛ける。）、蓋１６５Ｂを反時計回りに回転させる。ユーザがある程度まで蓋１６５Ｂを回転させると、バヨネット突起１６５ＢＤが溝形成部１６５ＡＣのバヨネット溝ＢＭに入り込み、やがてバヨネット溝ＢＭの端まで到達する。このとき、バヨネット突起１６５ＢＤがバヨネット溝ＢＭと係合しているため、蓋１６５Ｂはケース本体１６５Ａに取り付けられる。また、このとき、突出部１６５ＢＣの１つが目印１６８に合う位置に位置する。つまり、ユーザは、目印１６８を目安に、蓋１６５Ｂを回転させればよい。このように、目印１６８は、バヨネット突起１６５ＢＤとの相対位置を参考に、蓋１６５Ｂの回転位置（蓋１６５Ｂの回転位置は、ケース本体１６５Ａに取り付けられた位置かなど）を報知できる。
【００３９】
なお、蓋１６５Ｂをケース本体１６５Ａに被せる際、バヨネット突起１６５ＢＤが溝形成部１６５ＡＣの上面に当たってしまう場合があるが、この場合でも、ユーザが蓋１６５Ｂを下方に力を入れつつ回転させることで、バヨネット突起１６５ＢＤは、溝形成部１６５ＡＣの上面上を滑り、やがて、側部１６５ＡＢの上面に達し、その後にバヨネット溝ＢＭに入り込むことができる。この実施の形態では、特に、第１上面ＴＰ１から下って側部１６５ＡＢの上面に繋がる傾斜面である第２上面ＴＰ２により、バヨネット突起１６５ＢＤは、スムーズに側部１６５ＡＢの上面に達することができる。そして、側部１６５ＡＢの上面とバヨネット溝ＢＭの内部の下面とは面一となっているため、バヨネット突起１６５ＢＤは、最終的にバヨネット溝ＢＭにスムーズに到達することができる。
【００４０】
蓋１６５Ｂをケース本体１６５Ａから取り外す場合、ユーザは、まず、上方から見た場合の、向かって左側から突出部１６５ＢＣに指を引っ掛け、蓋１６５Ｂを時計回りに回転させる。ユーザがある程度まで蓋１６５Ｂを回転させると、バヨネット突起１６５ＢＤの全部分がバヨネット溝ＢＭと係合していない状態となる。ユーザはこの状態から、蓋１６５Ｂを、上方向に引くことにより、蓋１６５Ｂをケース本体１６５Ａから取り外すことができる。
【００４１】
なお、蓋１６５Ｂをケース本体１６５Ａから取り外す際、蓋１６５Ｂを回転させ続けると、バヨネット突起１６５ＢＤが傾斜面である第２上面ＴＰ２を登るので、蓋１６５Ｂをケース本体１６５Ａからスムーズに取り外すことができる。
【００４２】
（実施の形態上の効果）
ユーザは、指を突出部１６５ＢＣに引っ掛けることで蓋１６５Ｂを回転させることができるので、硬貨や工具を用いなくとも蓋１６５Ｂをケース本体１６５Ａに取り付ける又はケース本体１６５Ａから取り外すことができる。この実施の形態では、蓋１６５Ｂに硬貨や工具を差し込むための溝（例えばコイン溝）や凹部を設ける代わりに、側部１６５ＢＢの外周面から外側（蓋１６５Ｂの回転軸に直交する方向）に突出している突出部１６５ＢＣを設けたので、上記溝や凹部を設ける場合等よりも蓋１６５Ｂの厚さ（電池ケース１６５における上下方向の長さ）が抑えられている。このように、この実施の形態によれば、電池ケース１６５の厚さを抑えることができる。
【００４３】
また、蓋１６５Ｂは、ケース本体１６５Ａの底部１６５ＡＡと底部１６５ＡＡを囲む筒状の側部１６５ＡＢとにより形成されている収容空間Ｓを上から覆う覆い部１６５ＢＡと、側部１６５ＡＢを外側から覆う筒状の側部１６５ＢＢと、を備え、突出部１６５ＢＣは、側部１６５ＢＢから突き出ている構造なので、ユーザは、蓋１６５Ｂを操作しやすい。さらに、蓋１６５Ｂの厚さが、おおよそ、覆い部１６５ＢＡの厚さと側部１６５ＡＢの高さ（電池ケース１６５における上下方向の長さ）との和となる。覆い部１６５ＢＡの厚さを抑えることができ、蓋の厚さを抑えることができる。よって、電池ケース１６５の厚さを抑えることができる。
【００４４】
また、電池ケース１６５では、ケース本体１６５Ａと蓋１６５Ｂとがバヨネット式により取り付けられるため、蓋１６５Ｂの取り付け及び取り外しに必要な回転角度が少なくなる。よって、ユーザは、例えば螺合式の場合よりも容易に蓋１６５Ｂの取り付け及び取り外しが可能となる。
【００４５】
また、蓋１６５Ｂをケース本体１６５Ａに被せる際、バヨネット突起１６５ＢＤが溝形成部１６５ＡＣの上面に当たってしまっても、上述のように、第２上面ＴＰ２により、バヨネット突起１６５ＢＤは、スムーズに側部１６５ＡＢの上面に到達し、バヨネット溝ＢＭにスムーズに入り込むことができる。さらに、蓋１６５Ｂをケース本体１６５Ａから取り外す際、蓋１６５Ｂを回転させ続けると、バヨネット突起１６５ＢＤが傾斜面である第２上面ＴＰ２を登るので、蓋１６５Ｂをスムーズに取り外すことができる。以上のように、電池ケース１６５は、蓋１６５Ｂを取り付ける又は取り外す際の操作感が良い。
【００４６】
また、電池ケース１６５をカバー１６２で覆っているので、この部分についての防水性及びデザイン性が向上している。また、電池ケース１６５は、ドーム状のカバー１６２内に収容され、当該カバー１６２を外したときには、周囲よりも突き出ている。これにより、ユーザは、突出部１６５ＢＣに指を引っ掛けやすい。
【００４７】
目印１６８を設けたことにより、ユーザは突出部１６５ＢＣと目印１６８とを比較し、蓋１６５Ｂをどこまで回転させればよいかを知ることができる。
【００４８】
ケース本体１６５Ａの側部１６５ＡＢと、蓋１６５Ｂの側部１６５ＢＢと、を対向させ、側部１６５ＡＢと、蓋１６５Ｂの側部１６５ＢＢとにより、Ｏリング１６５Ｃを挟み、Ｏリング１６５Ｃの位置を、ケース本体１６５Ａの側部１６５ＡＢの高さ方向においてボタン型電池２００と重複する位置に配置する構成とすることにより、電池ケース１６５全体の厚さを抑えることができる。仮に、Ｏリング１６５Ｃとボタン型電池２００とが前記高さ方向において重複しない場合、その分電池ケース１６５全体が厚くなってしまうが、Ｏリング１６５Ｃとボタン型電池２００とを重複させることで、Ｏリング１６５Ｃとボタン型電池２００とが重複しない場合よりも、電池ケース１６５全体を薄くできる。
【００４９】
また、蓋１６５Ｂの側部１６５ＢＢが、ケース本体１６５Ａの側部１６５ＡＢを外側から覆う構造により、例えば、Ｏリング１６５Ｃが劣化して側部１６５ＢＢと側部１６５ＡＢとの間に液体が浸入しても、当該液体は、側部１６５ＢＢと側部１６５ＡＢとの間を上端まで到達しないと、ケース本体１６５Ａの収容空間までは到達しないので、液体の収容空間Ｓへの浸入がしづらい。
【００５０】
正極端子１６５Ｄの一部及び負極端子１６５Ｅの一部がケース本体１６５Ａに埋め込まれているので、ケース本体１６５Ａに正極端子１６５Ｄ及び負極端子１６５Ｅ用の基板（各端子を搭載する基板）を設ける必要がなくなる。このような構成により、正極端子１６５Ｄ及び負極端子１６５Ｅ用の基板分だけ、電池ケース１６５の厚さを抑えることができる。なお、このような構造は、この実施の形態のように、ケース本体１６５Ａと、センサ基板収容部１６９とが一体的に形成されているときに、採用しやすい構造である（正極端子１６５Ｄまたは負極端子１６５Ｅからの配線をセンサ基板１６６に引き回しやすいからである）。
【００５１】
（変形例）
本発明は、上述した実施の形態に限定されるわけではなく、その他の種々の変更が可能である。例えば、上記各部材の形状等は、任意に変更可能である。さらに、本発明は、電池を搭載するものであれば、スピニングリール等にも適用可能である。
【００５２】
Ｏリング１６５Ｃとボタン型電池２００とは、ケース本体１６５Ａの側部１６５ＡＢの高さ方向等において重複していれば、その重複の態様は問わない。両者は、一部重複するものであってもよい。
【００５３】
蓋１６５Ｂの突出部１６５ＢＣの数は、任意である。また、突出部１６５ＢＣの形状も、ユーザの指が引っかかることが可能な形状であればよい。突出部１６５ＢＣは、蓋１６５Ｂのケース本体１６５Ａに対する取り付け及び取り外しの一方のみに使用されるものであってもよい（そのために形状を変更してもよい）。取り付け用の突出部１６５ＢＣと、取り外し用の突出部１６５ＢＣとの両者を設けてもよい。
【００５４】
電池ケース１６５は、連結部１７０に配置されてもよい。電池ケース１６５は、単３型電池等、他の電池を収容するものであってもよい。電池ケース１６５が収容する電池は、水深カウンタ以外の例えば、スプールを回転させるためのモータの電源等に使用されるものであってもよい。
【００５５】
電池ケース１６５の蓋１６５Ｂは、ケース本体１６５Ａに螺合して取り付けられてもよい。ケース本体１６５Ａの側部１６５ＡＢが蓋１６５Ｂの側部１６５ＢＢを外側から覆うような構造であってもよい。
【００５６】
蓋１６５Ｂの表面はカバー１６２から露出していてもよい。この場合、突出部１６５ＢＣを設けず、蓋１６５Ｂの表面に従来同様にコイン溝を設けたり、専用工具を係合させるための複数の凹部を設けてもよい。
【符号の説明】
【００５７】
１００  両軸受リール
１１０  リールフット
１２０  第１本体部
１３０  ハンドル
１４０  スプール
１４１  スプール軸（回転シャフト）
１４１Ａ  他端
１４２  磁石
１５０  クラッチ操作部
１６０  第２本体部
１６１  筐体部材
１６２  カバー
１６３  ボルト
１６５  電池ケース
１６５Ａ  ケース本体
１６５ＡＡ  底部
１６５ＡＢ  側部
１６５ＡＣ  溝形成部
ＢＭ  バヨネット溝
ＴＰ１  第１上面
ＴＰ２  第２上面
Ｓ  収容空間
１６５Ｂ  蓋
１６５ＢＡ  覆い部
１６５ＢＢ  側部
１６５ＢＣ  突出部
１６５ＢＤ  バヨネット突起
１６５Ｃ  Ｏリング
１６５Ｄ  正極端子
１６５Ｅ  負極端子
１６６  センサ基板
１６６Ａ  磁気センサ
１６７  ボールベアリング
１６８  目印
１６９  センサ基板収容部
１７０  連結部
１７１  表示装置
１７２  電源／リセットボタン
１７３  制御基板
Ｃ  水深カウンタ
２００  ボタン型電池
【図１】
2019062790.tif 000003
【図２】
2019062790.tif 000004
【図３】
2019062790.tif 000005
【図４】
2019062790.tif 000006
【図５】
2019062790.tif 000007
【図６】
2019062790.tif 000008